(57)【要約】【課題】ボタンの押動作による機械的エネルギーを伝達する伝達機構を簡単な構成とすることができ、かつ、ボタンのフリーレイアウト化に優れるリモコン装置を提供する。【解決手段】リモコン装置１は、ボタン群３１のいずれかのボタン３２の押動作により入力される機械的エネルギーを伝達する伝達部４０を有する。伝達部４０は、一端が固定され、他端が発電機５０における揺動レバー５２の第２の係止部５２ｃに連結されるとともに、中間部がボタン群３１の内方に通された紐４２と、ボタン３２に対応し所要距離離間して設けられ、ボタン３２の反対側で紐４２の中間部に対して接触している２つのガイド４３，４４と、ボタン３２の裏面下部に設けられ、ボタン３２の押動作により押し下げられて２つのガイド４３，４４の間の紐４２を押し下げる押下げガイド３４を有する。【選択図】図３
2018009300.tif 000002
【特許請求の範囲】
【請求項１】
機器を遠隔操作するためのリモコン装置であって、
被取付面と反対側の操作面に開孔を有する筐体と、
前記開孔に収容される複数のボタンからなるボタン群を有し、前記いずれかのボタンの押動作により前記機器の動作を選択する選択部と、
前記いずれかのボタンの押動作により発生する機械的エネルギーを伝達する伝達部と、
前記筐体の内部に設けられ、前記機械的エネルギーを入力する入力部を有し、前記入力部に前記伝達部から伝達される機械的エネルギーを入力して電力を発生させる発電機と、
前記発電機によって発生された電力により前記機器に信号を送信する送信部と、を備え、
前記発電機は、前記入力部として前記機械的エネルギーを受け取り揺動する揺動レバーを有し、前記揺動レバーの揺動により電力を発生するようになっており、
前記揺動レバーの揺動端の揺動方向両側に第１の係止部と第２の係止部を有し、
前記第１の係止部に一端が固定された引張ばねの他端が連結されていることにより、通常時には、前記揺動レバーが前記引張ばねの側に傾いた状態に付勢されており、
前記伝達部は、一端が固定され他端が前記第２の係止部に連結されるとともに、中間部が前記ボタン群の内方に通された紐と、前記各ボタンに対応し所要距離離間して設けられ、前記ボタンの反対側で前記紐の中間部に対して接触している２つのガイドと、前記ボタンの裏面下部に設けられ、前記ボタンの押動作により押し下げられて前記２つのガイドの間の前記紐を押し下げる押下げガイドと、を有することを特徴とするリモコン装置。
【請求項２】
前記伝達部は、前記紐を架け廻すことにより前記紐の張架方向を変換する１つまたは複数の方向変換ガイドをさらに有することを特徴とする請求項１に記載のリモコン装置。
【請求項３】
前記伝達部は、テンション付加ガイドと、前記テンション付加ガイドを支持する揺動アームと、２つの前記方向変換ガイド間で前記紐に前記テンション付加ガイドを押し付け、前記紐の張力を調整する張力調整用引張ばねと、を有する張力調整部をさらに有することを特徴とする請求項２に記載のリモコン装置。
【請求項４】
前記ボタン群は、前記各ボタンが内側に設けられたコイルばねにより押動作前の位置に復帰するようになっていることを特徴とする請求項１ないし３のいずれか１項に記載のリモコン装置。
【請求項５】
前記ボタン群は、正面視で同一形状を有する前記各ボタンが一列に配置されていることを特徴とする請求項１ないし４のいずれか１項に記載のリモコン装置。
【請求項６】
前記ボタン群は、正面視で同一形状の前記各ボタンが上側に横一列と下側に横一列に配置されていることを特徴とする請求項１ないし４のいずれか１項に記載のリモコン装置。
【請求項７】
人体局部に向けて吐水するノズルを有する便座装置を遠隔操作するためのリモコン装置であって、
前記ボタン群は、前記ノズルからの吐水を行わせるための吐水ボタンと、前記ノズルからの吐水を停止させるための止水ボタンと、前記ノズルから吐水の状態を変化させるための吐水状態変化ボタンと、を少なくとも含むことを特徴とする請求項１ないし６のいずれか１項に記載のリモコン装置。
【発明の詳細な説明】
【技術分野】
【０００１】
本発明は、機器を遠隔操作するためのリモコン装置に関する。
【背景技術】
【０００２】
各種の機器を遠隔操作するためのリモコン装置として、バッテリーを不要にした、いわゆるバッテリーレスのリモコン装置が普及しつつある。バッテリーレスのリモコン装置では、操作ボタンの押動作による機械的エネルギーの入力を受けて発電する発電機を搭載し、この発電機により発電された電力を送信電力等として利用している。
【０００３】
バッテリーレスのリモコン装置によって遠隔操作する機器の一例として、便座装置が挙げられる。この種の従来のリモコン装置としては、ノズルからの吐水を行わせるための吐水ボタンおよび吐水を停止させるための止水ボタンを含むメインボタン群と、ノズルから吐水の状態を変化させる吐水状態変化ボタンを少なくとも含むサブボタン群を有し、いずれか１つのボタンの押動作によって生じる機械的エネルギーを発電部に入力して電力を発生させ、押動作されたボタンに対応する動作制御信号を生成して便座装置に無線送信するものが既に知られている（例えば、特許文献１参照）。
【０００４】
特許文献１に開示されたリモコン装置は、メインボタン群の各ボタンよりも小さく形成されるサブボタン群の各ボタンについては、押動作によって入力される機械的エネルギーが発電部に伝達されるまでの損失が、メインボタン群の各ボタンのものよりも小さくなるよう構成している。この構成により、サブボタン群の各ボタンの押動作によって発生する電力を大きくし、高い送信精度で変更信号を送信することができる。つまり、サブボタン群の各ボタンを小さく形成して高い意匠性を維持しながらも、変更信号の送信精度を高めることが可能となる（段落００１１）。
【先行技術文献】
【特許文献】
【０００５】
【特許文献１】特開２０１４−１９００５５号公報
【発明の概要】
【発明が解決しようとする課題】
【０００６】
特許文献１に開示されたリモコン装置では、メインボタン群、サブボタン群の各ボタンの押動作による機械的エネルギーを発電部に伝達する伝達機構が、メインボタン群の各ボタンの内方を通って直線状に延びる第１のスライド部材と、サブボタン群の各ボタンの内方を通って直線状に延びる第２のスライド部材とにより構成される（段落００４８）。
【０００７】
また、第１のスライド部材と第２のスライド部材には、第１のスライド部材の動作を第２のスライド部材に伝達する各伝達突起と、上記各ボタンの傾斜面に対応する傾斜面を設ける必要がある（段落００４３、００５６等）。
【０００８】
このため、特許文献１に開示されたリモコン装置では、動作を選択するための各ボタンの押動作による機械的エネルギーを発電部に伝達するための伝達機構の構成が複雑になるという問題があった。
【０００９】
また、特許文献１に開示されたリモコン装置では、第１のスライド部材、第２のスライド部材が、それぞれ、直線形状であり、各ボタンの押動作による力を直線的に発電部へと伝達する構成であり（段落００４２、００４４、図２、図３）、メインボタン群およびサブボタン群の各ボタンを直線状に配置せざるを得ず、動作を選択するためのボタンのレイアウトが制限を受け易いという問題があった。
【００１０】
本発明は、このような課題を解決するためになされたもので、ボタンの押動作による機械的エネルギーを伝達する伝達機構を簡単な構成とすることができ、かつ、ボタンのフリーレイアウト化に優れるリモコン装置を提供することを目的とする。
【課題を解決するための手段】
【００１１】
本発明に係るリモコン装置は、上記目的を達成するため、機器を遠隔操作するためのリモコン装置であって、被取付面と反対側の操作面に開孔を有する筐体と、前記開孔に収容される複数のボタンからなるボタン群を有し、前記いずれかのボタンの押動作により前記機器の動作を選択する選択部と、前記選択部における押動作により入力される機械的エネルギーを伝達する伝達部と、前記筐体の内部に設けられ、前記機械的エネルギーを入力する入力部を有し、前記入力部に前記伝達部から伝達される機械的エネルギーを入力して電力を発生させる発電機と、前記発電機によって発生された電力により前記機器に信号を送信する送信部と、を備え、前記発電機は、前記入力部として前記機械的エネルギーを受け取り揺動する揺動レバーを有し、前記揺動レバーの揺動により電力を発生するようになっており、前記揺動レバーの揺動端の揺動方向両側に第１の係止部と第２の係止部を有し、前記第１の係止部に一端が固定された引張ばねの他端が連結されていることにより、通常時には、前記揺動レバーが前記引張ばねの側に傾いた状態に付勢されており、前記伝達部は、一端が固定され他端が前記第２の係止部に連結されるとともに、中間部が前記ボタン群の内方に通された紐と、前記各ボタンに対応し所要距離離間して設けられ、前記ボタンの反対側で前記紐の中間部に対して接触している２つのガイドと、前記ボタンの裏面下部に設けられ、前記ボタンの押動作により押し下げられて前記２つのガイドの間の前記紐を押し下げる押下げガイドと、を有する構成である。
【００１２】
この構成により、本発明のリモコン装置は、ボタンの押動作による機械的エネルギーを紐によって発電機に伝達することができ、機械的エネルギーの伝達機構を簡単な構成で実現できる。また、複数のボタンをいかなる配置に設けても、紐を一筆書き状に張りめぐらせるので、ボタンのレイアウトフリー化に優れる。
【００１３】
また、本発明に係るリモコン装置は、伝達部が、紐を架け廻すことにより紐の張架方向を変換する１つまたは複数の方向変換ガイドをさらに有する構成としてもよい。
【００１４】
この構成により、本発明のリモコン装置は、複数のボタンをいかなる配置に設けても、方向変換ガイドを配置することによって紐を通す位置をいかようにも変更でき、各ボタンおよび発電機のレイアウトの自由度が向上する。
【００１５】
また、本発明に係るリモコン装置は、伝達部が、テンション付加ガイドと、テンション付加ガイドを支持する揺動アームと、２つの方向変換ガイド間で紐にテンション付加ガイドを押し付け、紐のテンションを調整する引張ばねと、を有するテンション調整部をさらに有する構成とすることができる。
【００１６】
この構成により、本発明に係るリモコン装置は、いずれか１つのボタンが押されるときは、紐のテンションを保持して機械的エネルギーを発電機に伝達し、２つのボタンが押されるときは、紐のテンションを緩める。すなわち、複数のボタンが同時に押される場合には、過大なテンションがかかる可能性がある状況下でも一定のテンションに保ち、紐の接断、ボタンや発電機等の損傷を回避できる。
【００１７】
また、本発明に係るリモコン装置は、ボタン群が、各ボタンが内側に設けられたコイルばねにより押動作前の位置に復帰するようになっている構成であってもよい。
【００１８】
この構成により、本発明に係るリモコン装置は、ボタンを押した手を離すあるいは力を抜くだけでボタンを元に戻すことができ、動作選択および電力蓄積のためのボタンの操作性を向上させることができる。
【００１９】
また、本発明に係るリモコン装置は、ボタン群は、正面視で同一形状を有する各ボタンが一列に配置されている構成とすることができる。
【００２０】
この構成により、本発明のリモコン装置は、各ボタンに対応して直線状に紐を張架する構造により各ボタンを機能させることができ、機械的エネルギーの伝達機構の構成が簡単で済む。
【００２１】
また、本発明に係るリモコン装置は、選択部のボタン群が、正面視で同一形状を有する各ボタンが上側に横一列と下側に横一列に配置されている構成としてもよい。
【００２２】
この構成により、本発明に形態に係るリモコン装置は、ボタンの押動作による機械的エネルギーの伝達に支障を与えることなく各ボタンの２列配置が可能となり、機械的エネルギーの伝達機構の構成が簡単でかつレイアウトフリー化が極めて容易となる。
【００２３】
また、本発明に係るリモコン装置は、人体局部に向けて吐水するノズルを有する便座装置を遠隔操作するためのものであって、ボタン群が、ノズルからの吐水を行わせるための吐水ボタンと、ノズルからの吐水を停止させるための停止ボタンと、ノズルから吐水の状態を変化させるための吐水状態変化ボタンと、を少なくとも含む構成であってもよい。
【００２４】
この構成により、本発明では、便座装置を遠隔操作するリモコン装置において、ボタンの押動作による機械的エネルギーを紐によって発電機に伝達するようにし、機械的エネルギーの伝達機構を簡単な構成で実現できる。また、複数のボタンをいかなる配置に設けても、紐を一筆書き状に張りめぐらせるので、ボタンのレイアウトフリー化に優れる。
【発明の効果】
【００２５】
本発明によれば、ボタンの押動作による機械的エネルギーを伝達する伝達機構を簡単な構成とすることができ、かつ、ボタンのフリーレイアウト化に優れるリモコン装置を提供することができる。
【図面の簡単な説明】
【００２６】
【図１】本発明の第１の実施の形態に係るリモコン装置とこのリモコン装置で遠隔操作される便座装置を示す斜視図である。
【図２】本発明の第１の実施の形態に係るリモコン装置の外観構成を示す平面図である。
【図３】本発明の第１の実施の形態に係るリモコン装置の分解斜視図である。
【図４】図２におけるリモコン装置のＡ−Ａ線による断面の構成を示す図であり、いずれのボタンも操作されていない状態の構成を示している。
【図５】本発明の第１の実施の形態に係るリモコン装置の紐を用いた運動伝達機構の構成を示す平面図である。
【図６】本発明の第１の実施の形態に係るリモコン装置の発電機の動作状態を示す概念図である。
【図７】図２におけるリモコン装置のＡ−Ａ線による断面の構成を示す図であり、１つのボタンが押動作された状態の構成を示している。
【図８】本発明の第１の実施の形態に係るリモコン装置の構成を示すブロック図である。
【図９】本発明の第１の実施の形態に係るリモコン装置の信号生成・送信処理動作を示すフローチャートである。
【図１０】本発明の第２の実施の形態に係るリモコン装置の外観構成を示す平面図である。
【図１１】本発明の第２の実施の形態に係るリモコン装置の紐を用いた運動伝達機構の構成を示す平面図である。
【発明を実施するための形態】
【００２７】
以下、本発明の実施の形態に係るリモコン装置について、図面を参照して説明する。本発明の実施の形態ではリモコン装置の遠隔操作の対象を便座装置としているが他の機器装置を操作対象としてもよい。
【００２８】
［第１の実施の形態］
まず、図１を参照して本発明の第１の実施の形態に係るリモコン装置の使用状態を説明する。図１に示すように、便座装置ＷＡは、大便器ＣＢのリムＣＢａに載置され、本体部ＷＡａと、便座ＷＡｂと、カバーＷＡｃを備えている。便座装置ＷＡは、本発明におけるリモコン装置の遠隔操作対象の機器を構成する。
【００２９】
本体部ＷＡａは、電装部品や給水機構等を内蔵しており、大便器ＣＢのボウル部ＣＢｂに対し進退可能なノズルＮ２を有している。円柱形状のノズルＮ２は、その上面にノズル孔Ｎ２ａが形成されおり、ボウル部ＣＢｂ内に進出した状態で給水機構から水の供給を受けることで、ノズル孔Ｎ２ａから使用者の人体局部に向けて噴流ＪＷとして吐水する。使用者が用便時に着座する便座ＷＡｂは、本体部ＷＡａに対し回動自在に枢支されている。便座ＷＡｂの不使用時は、同じく本体部ＷＡａに対し回動自在に枢支されるカバーＷＡｃによって上方から覆われる。
【００３０】
リモコン装置１は、大便器ＣＢおよび便座装置ＷＡが設置されるトイレブースの壁面などに固定される。このリモコン装置１は、その操作面２２を便座装置ＷＡ側に向けて設けられ、使用者はその操作面２２において便座装置ＷＡに行わせる動作を選択し、便座装置ＷＡを遠隔操作する。
【００３１】
具体的には、リモコン装置１は、使用者が操作面２２で選択した内容に基づいた高周波信号を生成し、便座装置ＷＡに向けて無線で送信する。便座装置ＷＡは、本体部ＷＡａに内蔵する受信部においてこの高周波信号を受信し、その信号の内容に基づいて、ノズルＮ２からの吐水や止水、吐水の水勢の調整、ノズルＮ２の位置の変更等を行う。
【００３２】
次に、図２〜図６を参照して本実施の形態に係るリモコン装置１の構成について説明する。
【００３３】
図２〜図４に示すように、リモコン装置１は、筐体２１と、筐体２１内に実装される選択部３０、伝達部４０、発電機５０、制御基板７０を有する。
【００３４】
筐体２１は、図３および図４に示すように、上部筐体２１ａと下部筐体２１ｂとにより構成される。上部筐体２１ａは、操作面２２を有し、操作面２２の端辺から操作面２２に対して直角に延びる側壁２２ａで囲まれた箱型部材により構成される。下部筐体２１ｂは、被取付面２６を有し、被取付面２６の端辺から被取付面２６に対して鉛直方向に立設される縁部２６ａで囲まれた矩形板状部材により構成される。
【００３５】
上部筐体２１ａと下部筐体２１ｂは、図３に示すように、下部筐体２１ｂの縁部２６ａを上部筐体２１ａの側壁２２ａで囲むように上部筐体２１ａを下部筐体２１ｂに被せることで一つの筐体２１として組み立て可能な構成となっている。
【００３６】
上部筐体２１ａは、図３に示すように、操作面２２に複数の開孔２３ａ，２３ｂ，２３ｃ，２３ｄ，２３ｅが形成されている。これら開孔２３ａ，２３ｂ，２３ｃ，２３ｄ，２３ｅは、操作面２２の幅方向に横一列に配列されている。
【００３７】
開孔２３ａ，２３ｂ，２３ｃ，２３ｄ，２３ｅは、後述する選択部３０のボタン群３１を構成する停止ボタン３２ａ、おしり洗浄ボタン３２ｂ、ビデ洗浄ボタン３２ｃ、強弱ボタン３２ｄおよび乾燥ボタン３２ｅをそれぞれ収容するものである。以下、停止ボタン３２ａ、おしり洗浄ボタン３２ｂ、ビデ洗浄ボタン３２ｃ、強弱ボタン３２ｄおよび乾燥ボタン３２ｅをまとめて、単に、ボタン３２と呼称することがある。
【００３８】
選択部３０は、便座装置ＷＡの動作を選択するための複数のボタン３２からなるボタン群３１を有する。ボタン群３１を構成複数のボタン３２のうち、おしり洗浄ボタン３２ｂ、ビデ洗浄ボタン３２ｃは、ノズルＮ２からの吐水動作を行わせる際に押す吐水ボタンとして機能する。すなわち、おしり洗浄ボタン３２ｂ、ビデ洗浄ボタン３２ｃは、本発明の吐水ボタンを構成する。おしり洗浄ボタン３２ｂが押された場合には使用者の肛門に向けて吐水させ、ビデ洗浄ボタン３２ｃが押された場合には女性の局部に向けて吐水させる。
【００３９】
強弱ボタン３２ｄは、ノズルＮ２からの吐水の水勢を使用者が好みに応じて変更する際に押す吐水状態変化ボタンとして機能する。すなわち、強弱ボタン３２ｄは、本発明の吐水状態変化ボタンを構成する。強弱ボタン３２ｄには、吐水量強を意味するプラス（＋）と吐水量弱を意味するマイナス（−）とが描かれている。強弱ボタン３２ｄは、例えば、１回押すごとに、ノズルＮ２からの吐水の水勢を強くする動作と弱くする動作を選択可能に構成されている。
【００４０】
乾燥ボタン３２ｅは、局部洗浄後に、本体部ＷＡａに内蔵されているファンから局部に向けて温風を吹き出す乾燥動作を行わせる際に押すボタンである。停止ボタン３２ａは、上記吐水動作および乾燥動作を停止させる際に押すボタンである。すなわち、停止ボタン３２ａは、本発明の止水ボタンを構成する。
【００４１】
図２に示すように、停止ボタン３２ａ、おしり洗浄ボタン３２ｂ、ビデ洗浄ボタン３２ｃ、強弱ボタン３２ｄおよび乾燥ボタン３２ｅの各ボタン３２は、平面視で円形の形状を有する。これら各ボタン３２は、操作面２２の開孔２３ａ，２３ｂ，２３ｃ，２３ｄ，２３ｅにそれぞれ収容されて操作面２２の幅方向に横一列に配列されている。
【００４２】
上記各ボタン３２は、図４に示すように、ボタン下面側に突出した中央突起３３を有し、中央突起３３の下部には押下げガイド３４がそれぞれ設けられる。押下げガイド３４は、各ボタン３２が利用者によって押動作された際に、その内方側で張力（テンション）をかけられた状態で張架されている紐４２に接触して下方に押し下げる働きをするものであり、短円筒形状を有する。
【００４３】
各ボタン３２は、それぞれ、ボタン下面側に中央突起３３を囲む形状で形成されたばね嵌合溝３５を有する。各ボタン３２は、中央突起３３に対してコイルばね３６が貫挿されている。コイルばね３６は、一端がばね嵌合溝３５に嵌合され、他端が各開孔２３ａ，２３ｂ，２３ｃ，２３ｄ，２３ｅの下方に位置する台座部２４に接するように取り付けられている。台座部２４には、中央突起３３の外径より大きくかつコイルばね３６の内径より小さい内径を有する貫通孔２５ａ，２５ｂ，２５ｃ，２５ｄ，２５ｅが設けられている。
【００４４】
上記構成により、各ボタン３２は、利用者による例えば手（指）でボタン上面を押下する等の押動作によって、コイルばね３６の弾性力に抗して押下げガイド３４が貫通孔２５ａ，２５ｂ，２５ｃ，２５ｄ，２５ｅを通り抜ける位置まで押し下げ可能である。また、各ボタン３２は、利用者による例えば押下中のボタン上面から指を離す等の押動作の解除によって、コイルばね３６の弾性力により押下げガイド３４が貫通孔２５ａ，２５ｂ，２５ｃ，２５ｄ，２５ｅ内に納まる位置まで復帰することができる。
【００４５】
伝達部４０は、停止ボタン３２ａ、おしり洗浄ボタン３２ｂ、ビデ洗浄ボタン３２ｃ、強弱ボタン３２ｄ、乾燥ボタン３２ｅの各ボタン３２の押動作および押動作の解除によって生じる機械的エネルギーを発電機５０に伝達するものである。
【００４６】
本実施の形態において、伝達部４０は、紐４２を運動伝達媒体とする運動伝達機構４１により構成される。運動伝達機構４１は、上述した各ボタン３２、各ボタン３２に付随する押下げガイド３４およびコイルばね３６を含む。さらに、運動伝達機構４１は、図５に示すように、下部筐体２１ｂの内面２６ｂにこの内面２６ｂに対して水平な状態で張架された紐４２と、その紐４２を張架する張架機構と、を含んで構成される。
【００４７】
運動伝達機構４１の運動伝達媒体である紐４２は、伸張性を有せず、抗張力が大きく、かつ、可撓性に富んでいる必要がある。また、紐４２は、経年劣化が少なく、高耐久性を有することが望ましい。本実施の形態において、紐４２は、例えば、ケブラー（登録商標）等の素材からなる線材が用いられる。
【００４８】
また、紐４２の張架機構は、図５に示すように、下部筐体２１ｂの内面２６ｂ上にそれぞれ配置された紐固定部材２７、複数対のガイド４３，４４、方向変換ガイド４５，４６、テンション調整部４７により構成される。テンション調整部４７は、本発明のテンション調整部を構成する。
【００４９】
紐固定部材２７は、下部筐体２１ｂの内面２６ｂの所定の位置に設けられ、紐４２の一端を固定するものである。
【００５０】
ガイド４３，４４は、各ボタン３２に対応し所要距離離間して設けられ、各ボタン３２の反対側で紐４２の中間部に対して接触している。
【００５１】
ガイド４３，４４は、各ボタン３２の押下げガイド３４のさらに内方を通るように張架される紐４２を張架方向からずれないようにガイドする機構である。また、ガイド４３，４４は、対応する各ボタン３２の押動作により押下げガイド３４を紐４２に押し付けて紐４２を引っ張る際の紐４２の引っ張り区間を規定するガイドとしても機能する。
【００５２】
上記機能を果たすために、ガイド４３，４４は、周面にガイド用の溝が形成された短円筒形状の部材で構成される。なお、ガイド４３，４４は、その離間距離は、押下げガイド３４の外径よりも大きい必要がある。また、ボタン３２を押動作させた際のガイド４３，４４と押下げガイド３４の高さ位置、つまりボタン３２の押動作方向の高さ位置は、押下げガイド３４がガイド４３，４４と同等の高さかそれよりも低い位置であることが望ましい。押下げガイド３４の高さがガイド４３，４４の高さよりも低くなるほど、紐４２の引っ張り量が増え、発電機５０での確実な発電が行えるようになる。
【００５３】
方向変換ガイド４５，４６は、紐４２の張架方向を変更するものである。図５に示す運動伝達機構４１において、方向変換ガイド４５は、紐４２の張架方向を、各ボタン３２の配列に対応した方向から図５の下方に配置されたテンション調整部４７に向かう方向へと変換している。また、方向変換ガイド４６は、テンション調整部４７の先で紐４２の張架方向を各ボタン３２の配列に対応した方向に変換している。
【００５４】
テンション調整部４７は、テンション付加ガイド４７ａと、揺動アーム４７ｂと、張力調整用引張ばね４７ｄと、により構成される。揺動アーム４７ｂは、ピボット軸４７ｃを中心にして回動可能であり、かつピボット軸４７ｃの反対側の位置にテンション付加ガイド４７ａを支持している。張力調整用引張ばね４７ｄは、一端が揺動アーム４７ｂの一端に連結され、他端が下部筐体２１ｂの内面２６ｂ上の固定部材に固定されている。
【００５５】
かかる構成を有するテンション調整部４７は、テンション付加ガイド４７ａを通るように張りめぐらされた紐４２に張力調整用引張ばね４７ｄでのばね力によりテンション付加ガイド４７ａを押し付けることで紐４２のテンションを調整するものである。
【００５６】
上述した伝達部４０の構成において、運動伝達機構４１を構成する紐４２は、図５に示すように、その一端が紐固定部材２７に固定されている。また、紐４２は、中間部が、ボタン群３１を構成する複数のボタン３２にそれぞれ対応しそれらの内方に設けられた複数対（この例では５対）のガイド４３，４４、方向変換ガイド４５，４６を通って張りめぐらされ、他端が後述する発電機５０の第２の係止部５２ｃに連結されている。
【００５７】
また、紐４２は、方向変換ガイド４５，４６間の区間において、テンション調整部４７のテンション付加ガイド４７ａを通って架け回されている。テンション付加ガイド４７ａは、張力調整用引張ばね４７ｄでの引っ張り力による揺動アーム４７ｂの回動によって上記区間の紐４２に接触してその紐４２を押し付ける。
【００５８】
これにより、運動伝達機構４１は、上記区間における紐４２に対するテンション付加ガイド４７ａの押し付け力によって、紐固定部材２７と、発電機５０の第２の係止部５２ｃ間に、紐４２を、所定のテンションがかけられた状態で張りめぐらす（張架する）ことを可能としている。また、上述の如く所定のテンションで張架された紐４２を有する運動伝達機構４１は、各ボタン３２の押動作により紐４２を引っ張り、押動作解除によって紐４２を元に戻す（緩める）際の紐４２の動きを機械的エネルギーとして発電機５０の入力部５１へと伝達する。
【００５９】
次に、発電機５０および制御基板７０の構成について説明する。発電機５０は、下部筐体２１ｂの内面２６ｂにブラケット５１０により取り付けられている。発電機５０は、図５および図６に示すように入力部５１、発電機構５３、引張ばね５６を有する。
【００６０】
入力部５１は、上述した各ボタン３２の押動作による機械的エネルギーを入力する部分であって、本実施の形態では、機械的エネルギーを受け取り揺動する揺動レバー５２により構成されている。揺動レバー５２は、図６に示すように、揺動端５２ａの揺動方向（矢印Ｂ１方向およびＢ２方向）両側に第１の係止部５２ｂと第２の係止部５２ｃとを有する。揺動レバー５２は、第１の係止部５２ｂに後述する引張ばね５６の他端が連結され、第２の係止部５２ｃに紐４２の他端に連結されている。
【００６１】
発電機構５３は、図６に示すように、コイル５４と永久磁石５５により構成される。コイル５４は、中空部５４ａを有する形状に電線（巻線）を複数回巻き付けて構成され、巻線の両端は出力端子（図示せず）に接続されている。永久磁石５５は、揺動レバー５２の揺動端５２ａに連結され、揺動方向と直交する方向に延びて全体がコイル５４内に収容されている。
【００６２】
引張ばね５６は、揺動レバー５２を一方向に付勢するものであり、一端が下部筐体２１ｂの内面２６ｂの所定箇所に固定され、他端が、揺動レバー５２の第１の係止部５２ｂに固定されている。
【００６３】
発電機５０は、コイル５４内で永久磁石５５が動くことにより生じる電磁誘導によって電力を発生する。発生した電力は、コイル５４を構成する巻線の両端の出力端子から取り出すことができる。なお、コイル５４内で永久磁石５５を動かすための機械的エネルギーは、上述した運動伝達機構４１の運動伝達媒体である紐４２を介して発電機５０の入力部５１へと入力される。
【００６４】
制御基板７０は、ＩＣや電子部品等を実装し、これら実装部品によって、発電機５０が発生した電力により便座装置ＷＡを遠隔操作するための回路が構成されている。制御基板７０は、例えば接続コード７１０によって発電機５０の出力端子と電気的に接続されている。
【００６５】
制御基板７０の構成について図８を援用して説明する。図８に示すように、制御基板７０は、上述した回路として、キャパシタ７１、充電量検知回路７２、制御ユニット７５を搭載している。キャパシタ７１は、発電機５０によって発生された電力を蓄積するものであり、電力によって充電可能な周知の容量素子により構成される。
【００６６】
充電量検知回路７２は、発電機５０によって発生された電力に基づくキャパシタ７１の充電量を検知するものであり、検知結果を制御ユニット７５に出力する。
【００６７】
制御ユニット７５は、キャパシタ７１に蓄積された電力によって作動するマイコン７５ａ、高周波生成回路７５ｂ、送信部７５ｃを有する。
【００６８】
マイコン７５ａは、ＣＰＵ（中央処理装置）やメモリを含み、キャパシタ７１に蓄積された電力により、制御ユニット７５全体の制御を行う。具体的な例として、マイコン７５ａは、ボタン群３１を構成する複数のボタン３２の押動作によりキャパシタ７１の充電量（充電電圧）が設定値（Ｖｔｈ）以上となることにより、押動作されたボタン３２に対応した制御信号を送信するように高周波生成回路７５ｂおよび送信部７５ｃを制御する。
【００６９】
高周波生成回路７５ｂは、マイコン７５ａの制御下で、上記ボタン３２を押動作することによって選択された動作を実行させる制御信号に相当する高周波信号を生成する。送信部７５ｃは、マイコン７５ａの制御下で、高周波生成回路７５ｂで生成された高周波信号を便座装置ＷＡに送信する。
【００７０】
次に、図４〜図７を参照して本実施の形態に係るリモコン装置１の各ボタン３２が押動作された際の動きについて説明する。
【００７１】
運動伝達機構４１において、紐４２は、選択部３０でいずれのボタン３２も操作されていない通常時には、図４に示すように、各ボタン３２に対応する各一対のガイド４３，４４に接触し、各ボタン３２の押下げガイド３４に接触しないように張架されている。このとき、発電機５０は、揺動レバー５２が、図６（ａ）に示すように、第１の係止部５２ｂに連結された引張ばね５６によって矢印Ｂ１方向に引っ張られて引張ばね５６側に付勢されている。つまり、このとき、紐４２は、各ボタン３２の内方において、図５に示すように、矢印Ｂ１方向に引っ張られている。
【００７２】
この状態から、例えば、図７に示すように、複数のボタン３２のうちの例えばビデ洗浄ボタン３２ｃが押動作された場合を考える。この場合、紐４２は、押下されたビデ洗浄ボタン３２ｃに対応する一対のガイド４３，４４間で、押下されたビデ洗浄ボタン３２ｃの押下げガイド３４に接触して押し下げられる。これにより、紐４２は、図５の矢印Ｂ２方向に引っ張られる。
【００７３】
矢印Ｂ２方向に引っ張られる紐４２の動きは、機械的エネルギーとして発電機５０の揺動レバー５２へと伝達される。これにより、発電機５０の揺動レバー５２は、それまでとは反対の方向に揺動する。具体的に、揺動レバー５２は、図６（ｂ）に示すように、第１の係止部５２ｂに連結された引張ばね５６の弾性力に抗して矢印Ｂ２方向に引っ張られて引張ばね５６とは反対側に付勢される。
【００７４】
さらにこの状態から、押動作されたビデ洗浄ボタン３２ｃから指を離すなどにより押動作を解除した場合、ビデ洗浄ボタン３２ｃは、図７に示すように、コイルばね３６により押し戻されて押下前の位置に復帰する。その際、ビデ洗浄ボタン３２ｃの押下げガイド３４は、対応する一対のガイド４３，４４間で紐４２との接触が解かれる。これにより、紐４２は、図４に示すように、ビデ洗浄ボタン３２ｃの押下げガイド３４によって押し下げられていた状態（図７参照）から通常時の張架状態に戻る。
【００７５】
一方、発電機５０では、ビデ洗浄ボタン３２ｃの押動作の解除により紐４２が押下げガイド３４と接触していない通常時の張架状態への復帰する動作に連動して揺動レバー５２がそれまでとは反対の方向に揺動する。具体的に、揺動レバー５２は、図６（ａ）に示すように、第２の係止部５２ｃに連結される紐４２のテンションに抗して第１の係止部５２ｂに連結された引張ばね５６によって矢印Ｂ１方向に引っ張られ（緩められ）、再び引張ばね５６側に付勢される。
【００７６】
このように、リモコン装置１の運動伝達機構４１では、利用者によるボタン３２の押動作と押動作の解除によって、紐４２が矢印Ｂ２方向へ引っ張られる動作と（図６（ｂ）参照）、紐４２が緩んで矢印Ｂ１方向へ戻される動作（図６（ａ）参照）が交互に行われる。これにより、発電機５０では、紐４２が引っ張られるときと緩むときの双方で、揺動レバー５２に連結された永久磁石５５がコイル５４内で動き、その際の電磁誘導によって電力を発生する。
【００７７】
発電機５０で発生された電力は、コイル５４の巻線の両端の出力端子から出力され、接続コード７１０を介してキャパシタ７１に蓄積される。制御ユニット７５は、キャパシタ７１に蓄積された電力によって、押動作されたビデ洗浄ボタン３２ｃに対応する動作の制御を行うための高周波信号を生成し、送信部７３から無線送信する。
【００７８】
上述した紐４２を運動伝達媒体とする運動伝達機構４１における揺動レバー５２の図６の矢印Ｂ１方向および矢印Ｂ２方向の反復揺動動作は、ビデ洗浄ボタン３２ｃ以外の各ボタン３２の押動作時および押動作解除時にも同様に行われる。よって、リモコン装置１は、揺動レバー５２の反復揺動動作により発電機５０が発電した電力を利用し、押下されたいずれかのボタン３２に対応する動作選択のために制御信号（高周波信号）を無線送信することができる。
【００７９】
なお、リモコン装置１では、複数のボタン３２のうちの例えば２つのボタン３２が同時に押動作される誤操作も起こり得る。この場合、運動伝達機構４１の紐４２は、押動作された２つのボタン３２の押下げガイド３４によって押し下げられる分、１つのボタン３２のみの押動作時に比べてより長い量引っ張られることになる。
【００８０】
この場合、運動伝達機構４１では、１つのボタン３２が押動作されたときよりも紐４２にかかるテンションが強くなる。その際、運動伝達機構４１では、揺動アーム４７ｂが張力調整用引張ばね４７ｄの弾性力（引っ張り力）に抗してピボット軸４７ｃを中心に回動する。この揺動アーム４７ｂの回動は、例えば１つのボタン３２のみが押動作された場合と同じテンションがかかる状態となるまで行われる。このようにして、運動伝達機構４１では、誤って複数のボタン３２が同時に押動作された場合にも、テンション調整部４７によって紐４２のテンションが一定に保たれる。
【００８１】
次に、本実施の形態に係るリモコン装置１の機械的構成および電気的構成について図８を参照して説明する。なお、図８では、電気的に接続されている要素間は１本の線で、力や機械的エネルギーを伝達する関係にある要素間は２本の線で繋げて表示している。
【００８２】
図８に示すように、リモコン装置１は、機械的構成に関しては、選択部３０のボタン群３１を構成する各ボタン３２が、利用者によってそのいずれかが押動作がされることで、運動伝達機構４１の要素である紐４２を引っ張るように作動する。
【００８３】
運動伝達機構４１では、紐４２を引っ張る力、つまり各ボタン３２の押動作による機械的エネルギーが発電機５０の入力部５１である揺動レバー５２へと伝達される。
【００８４】
発電機５０は、運動伝達機構４１から伝達された機械的エネルギーで揺動レバー５２を揺動させ、その際の機械的エネルギーを発電機構５３によって電気的エネルギーに変換して電力を発生する。具体的に、発電機５０は、揺動レバー５２の揺動による永久磁石５５のコイル５４内での動かした時の電磁誘導によって発電を行う。
【００８５】
また、リモコン装置１は、電気的構成に関し、発電機５０が発生させた電力がキャパシタ７１へと供給される。キャパシタ７１は、供給された電力を充電する。
【００８６】
キャパシタ７１の出力端子には、制御ユニット７５が接続される。制御ユニット７５は、マイコン７５ａと、高周波生成回路７５ｂと、送信部７５ｃを備えている。マイコン７５ａは、キャパシタ７１からの電力供給を受けて起動し、高周波生成回路７５ｂや送信部７５ｃを制御する。ただし、キャパシタ７１に接続されている充電量検知回路７２が、キャパシタ７１に充電されている電力が基準の量（後述する電圧Ｖｔｈ）以上となっていることを検知するまでは、マイコン７５ａは起動しないようになっている。具体的には、充電量検知回路７２は、キャパシタ７１の電圧に基づいて、充電されている電力を検知する。
【００８７】
選択部３０を構成する停止ボタン３２ａ、おしり洗浄ボタン３２ｂ、ビデ洗浄ボタン３２ｃ、強弱ボタン３２ｄおよび乾燥ボタン３２ｅの各ボタン３２には、それぞれに対応する検知スイッチ７７ａ，７７ｂ，７７ｃ，７７ｄ，７７ｅが接続されている。検知スイッチ７７ａ，７７ｂ，７７ｃ，７７ｄ，７７ｅは、対応する各ボタン３２が使用者によって押されたことを検知するためのスイッチである。
【００８８】
検知スイッチ７７ａ，７７ｂ，７７ｃ，７７ｄ，７７ｅとしては、例えば、押動作された各ボタン３２が接触したことを機械的に検知するもので構成することができる。また、検知スイッチ７７ａ，７７ｂ，７７ｃ，７７ｄ，７７ｅは、発光素子と受光素子を用い、押動作された各ボタン３２の一部が光路中に介在した際の受光素子の受光出力に基づいて押動作を検知する方式のものであってもよい。
【００８９】
上記各ボタン３２のいずれかが押された結果、キャパシタ７１に充電された電力が基準の量以上となった場合、キャパシタ７１からの電力供給を受けてマイコン７５ａが起動し、検知スイッチ７７ａ，７７ｂ，７７ｃ，７７ｄ，７７ｅから情報（いずれのボタンが押されたのか）を取得する。そしてマイコン７５ａは、取得したその情報に対応する高周波信号を高周波生成回路７５ｂで生成させ、その後、送信部７５ｃから便座装置ＷＡに向けて送信させる。
【００９０】
次に、図９を参照して、リモコン装置１の各ボタン３２が押動作された際の信号生成と送信の動作について説明する。
【００９１】
上記動作に係る制御は、上述したように、選択部３０のボタン群３１を構成する各ボタン３２の押動作によりキャパシタ７１に蓄積される電力で起動されるマイコン７５ａによって実行される。マイコン７５ａを起動するキャパシタ７１の充電量、すなわち上述した基準の量は電圧Ｖｔｈに予め設定されているものとする。
【００９２】
リモコン装置１では、待機状態で複数のボタン３２のうちのいずれかの押動作が開始されると、運動伝達機構４１内で紐４２が引っ張られ、引っ張られた紐４２の動きが機械的エネルギーとして発電機５０の揺動レバー５２に伝達されて電力が発生する。キャパシタ７１は、発電機５０が発生した電力の供給を受けて充電され、電圧Ｖが次第に上昇していく。
【００９３】
この間、充電量検知回路７２は、キャパシタ７１の電圧Ｖが設定値である電圧Ｖｔｈ以上となったか否かを判断する（ステップＳ１１）。ここで、キャパシタ７１の電圧Ｖが設定値Ｖｔｈ以上となったと判断される（ステップＳ１１でＹＥＳ）、キャパシタ７１からマイコン７５ａへの電力の供給が開始され、マイコン７５ａが起動する（ステップＳ１２）。
【００９４】
次に、起動したマイコン７５ａは、検知スイッチ７７ａ，７７ｂ，７７ｃ，７７ｄ，７７ｅからの検知出力に基づいて押されたボタンを検知し（ステップＳ１３）、使用者によって押されたボタンが停止ボタン３２ａであるか否かを判断する（ステップＳ１４）。
【００９５】
ここで、使用者によって押されたボタンが停止ボタン３２ａではないと判断されると（ステップＳ１４でＮＯ）、マイコン７５ａは、押されたボタンに対応する高周波信号を高周波生成回路７５ｂで生成させ、送信部７５ｃから便座装置ＷＡに向けて、１回目の高周波信号の送信を行う（ステップＳ１５）。
【００９６】
次に、マイコン７５ａは、高周波信号の送信を行った回数が、予め設定されている回数例えば２回に達したか否かを判断する（ステップＳ１６）。ここで、高周波信号の送信回数が設定回数に達してないと判断されると（ステップＳ１６でＮＯ）、高周波信号の生成および送信を継続する（ステップＳ１５）。
【００９７】
これに対し、高周波信号の送信回数が設定回数に達したと判断されると（ステップＳ１６でＹＥＳ）、リモコン装置１は、マイコン７５ａを停止させる。
【００９８】
図９のフローにおいて、ステップＳ１１〜Ｓ１４までの処理は、各ボタン３２のいずれかが押動作された場合も共通に実施される。これにより、マイコン７５ａは、例えば、吐水ボタンであるおしり洗浄ボタン３２ｂまたはビデ洗浄ボタン３２ｃの押動作の開始により起動した場合には、ステップＳ１３〜Ｓ１４でおしり洗浄ボタン３２ｂまたはビデ洗浄ボタン３２ｃが押下されたと判断し、ステップＳ１５〜Ｓ１６で吐水信号（高周波信号）を生成させ、送信する制御を繰り返し実施する。
【００９９】
便座装置ＷＡは、繰り返し送信された吐水信号の少なくとも１つを受信することで、ノズルＮ２を大便器ＣＢのボウル部ＣＢｂ内に進出させ、使用者の局部に向けて吐水を開始させる。
【０１００】
また、利用者は、ノズルＮ２から吐水が行われている状態でその水勢を強くするか、あるいは弱くするために強弱ボタン３２ｄを押動作することがある。この場合、ステップＳ１２で起動したマイコン７５ａは、ステップＳ１３〜Ｓ１４で強弱ボタン３２ｄが押下されたと判断し、ステップＳ１５〜Ｓ１６で変更信号（高周波信号）を生成させ、送信する制御を繰り返し実施する。
【０１０１】
便座装置ＷＡは、繰り返し送信された変更信号の少なくとも１つを受信することで、本体部ＷＡａの内蔵される給水機構の調整を行い、ノズルＮ２から吐水される水勢を強くするように、あるいは弱くするように作動する。
【０１０２】
一方、停止ボタン３２ａの押動作の開始によりマイコン７５ａが起動した場合（ステップＳ１１でＹＥＳ、ステップＳ１２）、このマイコン７５ａは、検知スイッチ７７ａ，７７ｂ，７７ｃ，７７ｄ，７７ｅからの検知出力に基づき使用者によって押されたボタンが停止ボタン３２ａであると判断する（ステップＳ１３、ステップＳ１４でＹＥＳ）。
【０１０３】
次いで、マイコン７５ａは、押された停止ボタン３２ａに対応する高周波信号を高周波生成回路７５ｂで生成させ、送信部７５ｃから便座装置ＷＡに向けて、１回目の高周波信号（止水信号）の送信を行う（ステップＳ２１）。
【０１０４】
次に、マイコン７５ａは、止水信号の送信を行った後のキャパシタ７１に、まだ止水信号を送信できる電力が残存していないかいるか（電力がなくなったか否か）を判断する（ステップＳ２２）。ここで、止水信号を送信できる電力が残存していると判断される間（ステップＳ２２でＮＯ）、止水信号の送信を繰り返し実施する。
【０１０５】
これに対し、止水信号を送信できる電力が残存していないと判断されると（ステップＳ２２でＹＥＳ）、リモコン装置１は、マイコン７５ａを停止させる（ステップＳ１７）。
【０１０６】
便座装置ＷＡは、複数回送信された止水信号の少なくとも１つを受信することで、本体部ＷＡａに内蔵される給水機構が給水の停止を行うとともに、ノズルＮ２を大便器ＣＢのボウル部ＣＢｂ内から後退させ、吐水動作を停止する。
【０１０７】
その後、利用者は、おしりを乾燥させるために乾燥ボタン３２ｅを押動作することがある。この場合、ステップＳ１２で起動したマイコン７５ａは、ステップＳ１３〜Ｓ１４で乾燥ボタン３２ｅが押下されたと判断し、ステップＳ１５〜Ｓ１６で温風送風信号（高周波信号）を生成させ、送信する制御を繰り返し実施する。
【０１０８】
便座装置ＷＡは、繰り返し送信された温風送風信号の少なくとも１つを受信することで、本体部ＷＡａの内蔵される温風源から大便器ＣＢのボウル部ＣＢｂ上方に向けて温風を送風し、所定時間経過後に温風送風を停止する。
【０１０９】
このように、第１の実施の形態に係るリモコン装置１は、被取付面２６と反対側の操作面２２に開孔２３ａ，２３ｂ，２３ｃ，２４ｄ，２４ｅを有する筐体２１と、開孔２３ａ，２３ｂ，２３ｃ，２４ｄ，２４ｅに収容される複数のボタン３２からなるボタン群３１を有し、いずれかのボタン３２の押動作により便座装置ＷＡの動作を選択する選択部３０と、選択部３０における押動作により入力される機械的エネルギーを伝達する伝達部４０と、筐体２１の内部に設けられ、機械的エネルギーを入力する入力部５１を有し、入力部５１に伝達部４０から伝達される機械的エネルギーを入力して電力を発生させる発電機５０と、発電機５０によって発生された電力により便座装置ＷＡに信号を送信する送信部７５ｃと、を備える。
【０１１０】
このリモコン装置１において、発電機５０は、入力部５１として機械的エネルギーを受け取り揺動する揺動レバー５２を有し、揺動レバー５２の揺動により電力を発生するようになっており、揺動レバー５２の揺動端５２ａの揺動方向両側に第１の係止部５２ｂと第２の係止部５２ｃを有し、第１の係止部５２ｂに一端が固定された引張ばね５６の他端が連結されていることにより、通常時には、揺動レバー５２が引張ばね５６の側に傾いた状態に付勢されている。
【０１１１】
また、リモコン装置１において、伝達部４０は、一端が固定され他端が第２の係止部５２ｃに連結されるとともに、中間部がボタン群３１の内方に通された紐４２と、各ボタン３２に対応し所要距離離間して設けられ、ボタンの反対側で紐４２の中間部に対して接触している２つのガイド４３，４４と、ボタンの裏面下部に設けられ、ボタンの押動作により押し下げられて２つのガイド４３，４４の間の紐４２を押し下げる押下げガイド３４と、を有する構成である。
【０１１２】
この構成により、本実施の形態に係るリモコン装置１は、ボタンの押動作による機械的エネルギーを発電機５０に伝達するために紐４２を用いているため、機械的エネルギーの伝達機構を簡単な構成で実現できる。また、複数のボタンをいかなる配置に設けても、紐４２を一筆書き状に張りめぐらせるので、ボタンのレイアウトフリー化に優れる。
【０１１３】
また、本実施の形態に係るリモコン装置１において、伝達部４０は、紐４２を架け廻すことにより紐４２の張架方向を変換する１つまたは複数の方向変換ガイド４５，４６をさらに有する構成である。
【０１１４】
この構成により、本実施の形態に係るリモコン装置１は、複数のボタンをいかなる配置に設けても、方向変換ガイド４５，４６を配置することによって紐４２を通す位置をいかようにも変更でき、各ボタン３２および発電機５０のレイアウトの自由度が向上する。
【０１１５】
また、本実施の形態に係るリモコン装置１において、伝達部４０は、テンション付加ガイド４７ａと、テンション付加ガイド４７ａを支持する揺動アーム４７ｂと、２つの方向変換ガイド４５，４６間で紐４２にテンション付加ガイド４７ａを押し付け、紐４２のテンションを調整する張力調整用引張ばね４７ｄと、を有するテンション調整部４７をさらに有する構成である。
【０１１６】
この構成により、本実施の形態に係るリモコン装置１は、いずれか１つのボタンが押されるときは、紐４２のテンションを保持して機械的エネルギーを発電機５０に伝達し、２つのボタンが押されるときは、紐４２のテンションを緩める。すなわち、複数のボタンが同時に押される場合には、過大なテンションがかかる可能性がある状況下でも一定のテンションに保ち、紐４２の接断、ボタンや発電機５０等の損傷を回避できる。
【０１１７】
また、本実施の形態に係るリモコン装置１において、ボタン群３１は、各ボタン３２が内側に設けられたコイルばね３６により押動作前の位置に復帰するようになっている構成である。
【０１１８】
この構成により、本実施の形態に係るリモコン装置１は、ボタンを押した手を離すあるいは力を抜くだけでボタンを元に戻すことができ、動作選択および電力蓄積のためのボタンの操作性を向上させることができる。
【０１１９】
また、本実施の形態に係るリモコン装置１において、ボタン群３１は、正面視で同一形状を有する各ボタン３２が一列に配置されている構成である。
【０１２０】
この構成により、本実施の形態に係るリモコン装置１は、各ボタン３２に対応して直線状に紐４２を張架する構造により各ボタン３２を機能させることができ、機械的エネルギーの伝達機構の構成が簡単で済む。
【０１２１】
また、本実施の形態に係るリモコン装置１は、人体局部に向けて吐水するノズルＮ２を有する便座装置ＷＡを遠隔操作するためのものであって、ボタン群３１は、ノズルＮ２からの吐水を行わせるための吐水ボタン（おしり洗浄ボタン３２ｂ、ビデ洗浄ボタン３２ｃ）と、ノズルＮ２からの吐水を停止させるための停止ボタン３２ａと、ノズルＮ２から吐水の状態を変化させるための吐水状態変化ボタン（強弱ボタン３２ｄ）と、を少なくとも含む構成である。
【０１２２】
この構成により、本実施の形態では、便座装置ＷＡを遠隔操作するリモコン装置１において、ボタンの押動作による機械的エネルギーを紐４２によって発電機５０に伝達するため、機械的エネルギーの伝達機構を簡単な構成で実現できる。また、複数のボタンをいかなる配置に設けても、紐４２を一筆書き状に張りめぐらせるので、ボタンのレイアウトフリー化に優れる。
【０１２３】
［第２の実施の形態］
次に、本発明の第２の実施の形態に係るリモコン装置１Ａについて図１０および図１１を参照して説明する。第２の実施の形態においては、第１の実施の形態と同様の構成には同一の符号を付してその詳細な説明を省略し、特に第１の実施の形態と相違する構成を中心に説明する。
【０１２４】
第２の実施の形態に係るリモコン装置１Ａは、操作面２２上の各ボタン３２の配列と、その配列に対応した紐４２の張りめぐらし形態が第１の実施の形態に係るリモコン装置１と異なっている。それ以外の構成は、第１の実施の形態に係るリモコン装置１と同様である。
【０１２５】
図１０に示すように、本実施の形態に係るリモコン装置１Ａは、選択部３０Ａのボタン群３１を構成する各ボタン３２が、操作面２２上に、上側に横一列と下側に横一列に配置されている。具体的に、選択部３０Ａは、停止ボタン３２ａ、おしり洗浄ボタン３２ｂが上側に横一列で配列され、ビデ洗浄ボタン３２ｃ、強弱ボタン３２ｄ、乾燥ボタン３２ｅが下側に横一列に配列されている。
【０１２６】
なお、上側の列と下側の列の配置するボタン３２の数は任意に変更できるものである。また、各ボタン３２は、正面視で同一形状を有し、第１の実施の形態と同様丸型の形状を有しているが、他の形状であってもよい。
【０１２７】
また、リモコン装置１Ａにおいて、下部筐体２１ｂの内面２６ｂに設けられる運動伝達機構４１Ａは、図１１に示すように、第１の実施の形態にはない追加要素として、紐固定部材２７Ａ、方向変換ガイド４８，４９を有している。また、他の追加要素として、紐固定部材２７Ａと方向変換ガイド４８との間には、下部筐体２１ｂに被せられる上部筐体２１ａに組み込まれている上側の列の停止ボタン３２ａ、おしり洗浄ボタン３２ｂに対応するそれぞれ一対ずつのガイド４３，４４が設けられている。
【０１２８】
上記追加要素を備えた運動伝達機構４１Ａにおいて、運動伝達媒体である紐４２は、一端が紐固定部材２７Ａに固定され、他端が発電機５０の入力部５１である揺動レバー５２の第２の係止部５２ｃに連結されている。
【０１２９】
この運動伝達機構４１Ａにおいて、紐４２は、その中間部が、上側の列の２つのボタン３２にそれぞれ対応する２対のガイド４３，４４を順次通り、方向変換ガイド４８と４９とでそれぞれ方向変換されている。さらに、紐４２の中間部の残りの部分は、下側の列の３つのボタン３２にそれぞれ対応する三対のガイド４３，４４を順次通り、以降、発電機５０の揺動レバー５２の第２の係止部５２ｃに至るように張りめぐらされている。このように、本実施の形態に係るリモコン装置１Ａの運動伝達機構４１Ａは、紐４２が、操作面２２上における各ボタン３２の二列配置に対応した経路で張りめぐらされている。
【０１３０】
上記構成の運動伝達機構４１Ａを有するリモコン装置１Ａでは、上側の列の２つのボタン３２のいずれかが押動作された際には、押動作されたボタン３２の押下げガイド３４が内方に進出し、対応する一対のガイド４３，４４間で紐４２を押し下げる。
【０１３１】
これにより、紐４２は、方向変換ガイド４８，４９、下側の列の３つのボタン３２に対応する３対のガイド４３，４４、方向変換ガイド４５、テンション付加ガイド４７ａ、方向変換ガイド４６を介して矢印Ｂ２方向に引っ張られる。
【０１３２】
次に、押動作された上側の２列のいずれかのボタン３２の押動作が解除された際には、運動伝達機構４１Ａでは、押動作が解除されたボタン３２の押下げガイド３４が後退し、押し下げていた紐４２から離れる。これにより、紐４２は、上述した矢印Ｂ２方向から矢印Ｂ１方向へと引っ張り戻される。
【０１３３】
上記矢印Ｂ２およびＢ１方向へ引っ張られる紐４２の動きは、機械的エネルギーとして発電機５０の揺動レバー５２へと伝達され、揺動レバー５２に連結される永久磁石５５がコイル５４内で動くことで発電機５０での発電が行われる。
【０１３４】
また、運動伝達機構４１Ａでは、下側の列の３つのボタン３２のいずれかが押動作された際には、押動作されたボタン３２の押下げガイド３４が内方に進行し、対応する一対のガイド４３，４４間で紐４２を押し下げる。
【０１３５】
これにより、紐４２は、第１の実施の形態と同様、方向変換ガイド４５、テンション付加ガイド４７ａ、方向変換ガイド４６を介して矢印Ｂ２方向に引っ張られる。
【０１３６】
次に、押動作された下側の列のいずれかのボタン３２の押動作解除された際には、運動伝達機構４１Ａでは、押動作が解除されたボタン３２の押下げガイド３４が後退し、押し下げていた紐４２から離れる。これにより、紐４２は、上述した矢印Ｂ２方向から矢印Ｂ１方向へと引っ張り戻される。
【０１３７】
上記矢印Ｂ２およびＢ１方向へ引っ張られる紐４２の動きは、機械的エネルギーとして発電機５０の揺動レバー５２へと伝達され、揺動レバー５２に連結される永久磁石５５がコイル５４内で動くことで発電機５０での発電が行われる。
【０１３８】
このように、リモコン装置１Ａは、２列に配列された各ボタン３２のいずれが押動作されても、一列配置の場合と同様、その押動作による機械的エネルギーで揺動レバー５２を動かして発電機５０に発電させることができる。つまり、本実施の形態では、選択部３０Ａを構成するボタン３２のレイアウトの自由度を維持しつつ、紐４２を伝達媒体とする簡単な構造の伝達部４０Ａを有するリモコン装置１Ａを実現できる。
【０１３９】
上述したように、本実施の形態に係るリモコン装置１Ａにおいて、選択部３０Ａのボタン群３１は、正面視で同一形状を有する各ボタン３２が上側に横一列と下側に横一列に配置されている構成である。
【０１４０】
また、リモコン装置１Ａにおいて、伝達部４０Ａは、紐４２が、選択部３０Ａにおける上側の横一列のボタン３２の内方を通り、方向変換ガイド４８，４９により方向変換され、さらに下側の横一列のボタン３２の内方を通り、各ボタン３２のガイド４３，４４にそれぞれ接触して一筆書き状に張りめぐらされた構成である。
【０１４１】
この構成により、本実施の形態に係るリモコン装置１Ａは、各ボタン３２を２列配置にしても、一列配置の場合（第１の実施の形態参照）と同様、各ボタン３２の押動作による機械的エネルギーを発電機５０へと円滑に伝達できる。言い換えると、第２の実施の形態では、ボタン３２の押動作による機械的エネルギーの伝達に支障を与えることなく各ボタン３２の２列配置が可能であり、機械的エネルギーの伝達機構の構成が簡単でかつレイアウトフリー化が極めて容易である。
【０１４２】
また、本実施の形態に係るリモコン装置１Ａは、ボタン群３１を構成する各ボタン３２の２列配列、２列配列に合わせた紐４２の張りめぐらし以外の構成は第１の実施の形態と同様であり、この構成により第１の実施形態と同様の効果が期待できる。
【０１４３】
なお、本発明は、上記実施形態に限定されるものでなく、特許請求の範囲の技術的範囲には、発明の要旨を逸脱しない範囲内で種々、設計変更した形態が含まれる。例えば、本発明は、選択部３０，３０Ａを構成する各ボタン３２の形状は円形に限られず、種々の形状を採用し得る。また、各ボタン３２は異形となってもよく、サイズの異なるボタン３２が混在して設けられていてもよい。
【０１４４】
また、選択部３０，３０Ａにおける各ボタン３２の配列は、横一列、上下２列に限らず、伝達部４０，４０Ａを構成する運動伝達機構４１，４１Ａにおける紐４２の張りめぐらし形態次第で種々の配置が可能である。つまり、本発明は、運動伝達媒体としての紐４２が一筆書き状に張りめぐらすことが可能であり、様々なパターンでのタンのレイアウトが可能になる。
【０１４５】
また、上記実施の形態では、便座装置を遠隔操作するリモコン装置を例示しているが、本発明は、小電力の高周波信号を受信し、その高周波信号に基づき制御動作を実行する機能を搭載する種々の機器を遠隔操作するためのリモコン装置に適用できる。
【０１４６】
以上説明したように、本発明は、ボタンの押動作による機械的エネルギーを伝達する伝達機構を簡単な構造で実現でき、ボタンのフリーレイアウト化に優れるという効果を有し、便座装置などの各種機器を遠隔操作するリモコン装置全般に有用である。
【符号の説明】
【０１４７】
１，１Ａ  リモコン装置（機器）
２１  筐体
２２  操作面
２３ａ，２３ｂ，２３ｃ，２３ｄ，２３ｅ  開孔
２６  被取付面
３０，３０Ａ  選択部
３１  ボタン群
３２  ボタン
３２ａ  停止ボタン（止水ボタン）
３２ｂ  おしり洗浄ボタン（吐水ボタン）
３２ｃ  ビデ洗浄ボタン（吐水ボタン）
３２ｄ  強弱ボタン（吐水状態変化ボタン）
３４  押下げガイド
３６  コイルばね
４０  伝達部
４１，４１Ａ  運動伝達機構
４２  紐
４３，４４  ガイド
４５，４６，４８，４９  方向変換ガイド
４７  テンション調整部（張力調整部）
４７ａ  テンション付加ガイド
４７ｂ  揺動アーム
４７ｄ  張力調整用引張ばね
５０  発電機
５１  入力部
５２  揺動レバー
５２ａ  揺動端
５２ｂ  第１の係止部
５２ｃ  第２の係止部
５６  引張ばね
７５ｃ  送信部
ＷＡ  便座装置
Ｎ２  ノズル
【図１】
2018009300.tif 000003
【図２】
2018009300.tif 000004
【図３】
2018009300.tif 000005
【図４】
2018009300.tif 000006
【図５】
2018009300.tif 000007
【図６】
2018009300.tif 000008
【図７】
2018009300.tif 000009
【図８】
2018009300.tif 000010
【図９】
2018009300.tif 000011
【図１０】
2018009300.tif 000012
【図１１】
2018009300.tif 000013